(57)【特許請求の範囲】
【請求項１】
利用者が着座可能な座部と、
前記座部の後部又は後方に配された背凭れ部と、
前記背凭れ部の上端部よりも後方、かつ前記上端部よりも下方で、前記背凭れ部に形成された上向きの支持面と、
前記支持面によって下方から支持され、利用者の手を支持するための上面を有する手摺部材と、
を備え、
前記支持面は、前記背凭れ部の上端部よりも低い位置に、水平面内に位置して形成され、
前記支持面によって支持された前記手摺部材は、上面が鉛直上方を向いて設けられている椅子。
【請求項２】
利用者が着座可能な座部と、
前記座部の後部又は後方に配された背凭れ部と、
前記背凭れ部の上端部よりも後方、かつ前記上端部よりも下方で、前記背凭れ部に形成された上向きの支持面と、
前記支持面によって下方から支持され、利用者の手を支持するための上面を有する手摺部材と、
を備え、
前記支持面は、前記背凭れ部の上端部よりも後方において、後方に向かって下方に延びて斜め上方を向く傾斜面とされ、
前記支持面によって支持された前記手摺部材は、上面が斜め上方を向いて設けられている椅子。
【請求項３】
利用者が着座可能な座部と、
前記座部の後部又は後方に配された背凭れ部と、
前記背凭れ部の上端部よりも後方、かつ前記上端部よりも下方で、前記背凭れ部に形成された上向きの支持面と、
前記支持面によって下方から支持され、利用者の手を支持するための上面を有する手摺部材と、
を備え、
前記手摺部材は、前記手摺部材の下面と前記支持面との間に空間を形成した状態で支持され、
前記手摺部材は、前記空間へ連通する開口部を備える椅子。
【請求項４】
利用者が着座可能な座部と、
前記座部の後部又は後方に配された背凭れ部と、
前記背凭れ部の上端部よりも後方、かつ前記上端部よりも下方で、前記背凭れ部に形成された上向きの支持面と、
前記支持面によって下方から支持され、利用者の手を支持するための上面を有する手摺部材と、
を備え、
前記手摺部材の後端部は、前記背凭れ部の背面の鉛直上方、または前記背面よりも前方に位置するよう形成されている椅子。
【発明の詳細な説明】
【技術分野】
【０００１】
本発明は、ソファやベンチ等の椅子に関する。
【背景技術】
【０００２】
役所、金融機関、病院、駅、空港等の待合室において、利用者が着座できるソファやベンチ等の椅子が使用されている。椅子には、利用者が着座する座面を有した座部に加え、背凭れ部を備えたものがある。
このような背凭れ部を備えた椅子は、利用者が椅子の後方を通る際に、背凭れ部の上端部を手摺代わりに掴むことがある。その結果、背凭れ部の表皮材の上端部が汚れてしまうことがある。
【０００３】
特許文献１には、背凭れ部の上端部に、枠状の部材を装着する構成が開示されている。このような構成によれば、利用者が椅子の後方を通る際に、枠状の部材を手摺代わりに掴んでも、背凭れ部自体に触れるのを抑えることができるため、背凭れ部の表皮材が汚れるのを防ぐことができる。
【先行技術文献】
【特許文献】
【０００４】
【特許文献１】特開２０１３−１２３５７６号公報
【発明の概要】
【発明が解決しようとする課題】
【０００５】
しかし、上記したような枠状の部材を備えた構成の椅子は、椅子に着座する利用者からすると、背凭れ部の上端部に硬い枠状の部材があるため、首や頭部、肩等が枠状の部材に当たり、着座感が損なわれる。また、利用者が椅子に着座した状態で、他の利用者が椅子の後方から枠状の部材を掴んだ場合、着座した利用者の頭部等に触れてしまうこともある。
【０００６】
そこで、背凭れ部の上端部に枠状の部材を設けずに、手摺となる部材を、背凭れ部の上端部から後方に延ばして設けることが考えられる。しかし、このような構成では、手摺が背凭れから後方にオーバーハングして片持ち状態となっているため、利用者が手摺に体重を掛ける等して下向きの荷重が入力されたときに、その荷重が手摺を背凭れから脱落させる方向のモーメントとして作用する。その結果、手摺が脱落したり、手摺自体が破損する可能性がある。
また、手摺が背凭れから後方にオーバーハングしていると、椅子の後方の空間が狭められ、椅子へのアクセス性が損なわれることもある。
【０００７】
そこでなされた本発明の目的は、着座した使用者にとっては、着座感が損なわれるのを抑えつつ、手摺部材が強固に取り付けられた椅子を提供することである。
【課題を解決するための手段】
【０００８】
本発明は、上記課題を解決するため、以下の手段を採用する。
この発明に係る椅子は、利用者が着座可能な座部と、前記座部の後部又は後方に配された背凭れ部と、前記背凭れ部の上端部よりも後方、かつ前記上端部よりも下方で、前記背凭れ部に形成された上向きの支持面と、前記支持面によって下方から支持され、利用者の手を支持するための上面を有する手摺部材と、を備える。
【０００９】
このように、手摺部材の支持面を、背凭れ部の上端部よりも後方、かつ上端部よりも下方に設けることで、椅子に着座した利用者が背凭れ部に凭れかかった状態でも、首や頭部、肩等が手摺部材に干渉し難い。また、他の利用者が椅子の後方から手摺部材に手をついても、着座した利用者の頭部に触れるのを抑えることができる。
さらに、手摺部材は、背凭れ部に形成された支持面によって下方から支持されるので、手摺部材に手をついた利用者が体重を掛けても、手摺部材の取付強度が不足することもなく、利用者を確実に支持することができる。
【００１０】
また、本発明に係る椅子は、上記椅子において、前記手摺部材は、前記支持面上に直接載置されているようにしてもよい。
このような構成によれば、手摺部材に作用した荷重が支持面に伝わるため、手摺部材における荷重支持性能が向上する。
【００１１】
また、本発明に係る椅子は、上記椅子において、前記支持面は、前記背凭れ部の上端部よりも低い位置に、水平面内に位置して形成され、前記支持面によって支持された前記手摺部材は、上面が鉛直上方を向いて設けられているようにしてもよい。
このように、手摺部材を、鉛直上方を向く支持面によって支持することで、利用者が手をつきやすく、しかも利用者を確実に支持することができる。
【００１２】
また、本発明に係る椅子は、上記椅子において、前記支持面は、前記背凭れ部の上端部よりも後方において、後方に向かって下方に延びる傾斜面とされ、前記支持面によって支持された前記手摺部材は、上面が斜め上方を向いて設けられているようにしてもよい。
これにより、手摺部材を、斜め上方を向く支持面によって支持することで、利用者が手をつきやすく、しかも利用者を確実に支持することができる。
【００１３】
さらに、本発明に係る椅子は、上記椅子において、前記手摺部材は、前記背凭れ部の上端部側から、後方に向かって斜め上方に延びる延長部を一体に有しているようにしてもよい。
これにより、椅子の後方を通る利用者は、斜め上方に延びた延長部を掴むこともでき、利便性が高まる。また、延長部は、背凭れ部の上端部から斜め後方に延びるため、椅子に着座した利用者からすると、背凭れ部に凭れかかった状態でも、首や頭部、肩等が手摺部材に干渉することがない。また、他の利用者が椅子の後方から手摺部材に手をついても、着座した利用者の頭部に触れるのを防ぐことができる。
【００１４】
また、本発明に係る椅子は、上記椅子において、前記手摺部材は、前記手摺部材の下面と前記支持面との間に空間を形成した状態で支持されているようにしてもよい。
これにより、手摺部材に作用した荷重が背凭れに伝わりにくくなる。例えば、椅子の後方に位置する利用者がバランスを崩す等して手摺部材に不意に大きな荷重をかけてしまった場合であっても、椅子に着座した利用者には、背凭れを介して荷重がかかったことが伝わりにくい。
【００１５】
また、本発明に係る椅子は、上記椅子において、前記手摺部材は、前記空間へ連通する開口部を備えるようにしてもよい。
これにより、開口部に、指等を掛けることができ、手摺部材を確実に保持することができる。
【００１６】
また、本発明に係る椅子は、上記椅子において、前記手摺部材の後端部は、前記背凭れ部の背面の鉛直上方、または前記背面よりも前方に位置するよう形成されているようにしてもよい。
これにより、手摺部材が背凭れ部の背面よりも後方に突出するのを抑え、椅子の後方のスペースが狭まるのを防ぐことができる。
また、手摺部材が背凭れ部の背面よりも後方に突出するのを抑えることで、手摺部材に利用者が手をつくことで作用する荷重を、背凭れ部に形成された支持面で確実に支持することができる。
【００１７】
また、本発明に係る椅子は、上記椅子において、前記背面は、前記背面の幅方向中央部に形成された第一面と、前記背面の幅方向側縁に至る領域に形成され、前記第一面よりも前方に位置する第二面と、を備えるようにしてもよい。
このように、背凭れ部の背面の幅方向側縁に至る領域に、第一面よりも前方に位置する第二面を設けることで、椅子の後方を通る際に、利用者の下肢や車椅子等が背凭れ部の背面に干渉するのを抑えることができる。
【００１８】
また、本発明に係る椅子は、上記椅子において、前記第二面は、前記第一面側から前記背面の幅方向側方に向かって漸次前方に傾斜して形成されているようにしてもよい。
これにより、背凭れ部の背面は、幅方向側方に行くほど、第二面が第一面よりも前方に位置する。従って、椅子の後方を利用者が通る際のアクセス性を高めることができる。
【発明の効果】
【００１９】
この発明に係る椅子によれば、着座した使用者にとっては、着座感が損なわれるのを抑えつつ、手摺部材を強固に取り付けることが可能となる。
【図面の簡単な説明】
【００２０】
【図１】本発明の第一実施形態に係る椅子の構成を示す図であり、椅子を斜め後方から見た斜視図である。
【図２】上記椅子の内部構造を示す斜視図である。
【図３】本発明の第二実施形態に係る椅子の構成を示す図であり、椅子を斜め後方から見た斜視図である。
【図４】上記椅子の内部構造を示す斜視図である。
【図５】第一実施形態に係る椅子に設けた手摺部材の変形例を示す側面図である。
【図６】図５に示した手摺部材のさらに他の変形例を示す側面図である。
【図７】第一実施形態に係る椅子に設けた手摺部材のさらに他の変形例を示す側面図である。
【図８】図７に示した手摺部材のさらに他の変形例を示す側面図である。
【発明を実施するための形態】
【００２１】
以下、添付図面を参照して、本発明による椅子を実施するための形態を説明する。しかし、本発明はこの実施形態のみに限定されるものではない。
【００２２】
（第一実施形態）
図１は、本発明の第一実施形態に係る椅子の構成を示す図であり、椅子を斜め後方から見た斜視図である。図２は、上記椅子の内部構造を示す斜視図である。
以下の説明において、ベンチ（椅子）１０に利用者が着座した状態で、利用者が正面を向く方向を前方、その反対方向を後方または背面側、前方と後方とを結ぶ方向に水平面内で直交する方向を幅方向と適宜称する。以下、第一実施形態のベンチ１０を符号１０Ａ、第二実施形態のベンチ１０を符号１０Ｂで示す。
図１に示すように、ベンチ１０Ａは、座部２０と、背凭れ部３０と、を備えている。
【００２３】
座部２０は、木製または金属製の座部フレーム２１（図２参照）と、座部クッション２２と、表皮材２３と、から構成されている。座部２０は、幅方向に長く、前後方向に短い平面視略長方形状に形成されている。
【００２４】
図２に示すように、座部フレーム２１は、床面Ｆと平行に配置された底板２４と、底板２４の上方に隙間を隔てて配置された上板２５と、底板２４上に立設され、上板２５を支持する支持材２６と、を一体に備えている。底板２４の下面には、下方に向かって延び、床面Ｆ上に立脚する脚部材２７（図１参照）が装着されている。
【００２５】
座部クッション２２は、上板２５上に設けられている。座部クッション２２は、例えば、ウレタン等、適宜のクッション材からなる。
【００２６】
図１に示すように、表皮材２３は、皮革、布、ビニール系素材等からなり、座部クッション２２及び座部フレーム２１の少なくとも上方、前方、及び幅方向両側方を覆うように設けられている。
【００２７】
背凭れ部３０は、木製または金属製の背部フレーム３１（図２参照）と、背部クッション３２と、表皮材３３と、から構成されている。背凭れ部３０は、座部２０の後端部から上方に向かって延びるよう形成されている。
【００２８】
図２に示すように、背部フレーム３１は、座部フレーム２１の後端部から上方に向かって延びる背面板３４と、背面板３４の前方に隙間を隔てて配置された前面板３５と、背面板３４と前面板３５との間に設けられた支持材３６と、を一体に備えている。
【００２９】
図１に示すように、背部クッション３２は、前面板３５の前方を覆うように設けられている。背部クッション３２は、例えば、ウレタン等、適宜のクッション材からなる。
【００３０】
表皮材３３は、皮革、布、ビニール系素材等からなり、背部クッション３２及び背部フレーム３１の前方、後方、上方、及び幅方向両側方を覆うように設けられている。
【００３１】
このような背凭れ部３０において、背凭れ部３０の背面３０ｒは、背凭れ部３０の背面３０ｒの幅方向の中央部３０ｃに対して幅方向両側で、背面３０ｒの幅方向側縁３０ｅに至る領域に、前方に向かって傾斜した切欠き面（第二面）３７が形成されている。
この実施形態では、背凭れ部３０の背面３０ｒの中央部３０ｃは、床面Ｆに直交する鉛直面（第一面）３０Ｖによって形成されている。これに対し、切欠き面３７は、上方から下方に向かって漸次前方に傾斜しつつ、鉛直面３０Ｖ側から幅方向外方に向かって漸次前方に傾斜する傾斜面３０Ｆによって形成されている。
【００３２】
背凭れ部３０の上端部３０ｔの後方には、手摺として用いることのできるプレート部材（手摺部材）４０が、背凭れ部３０の幅方向全体にわたって幅方向に連続して設けられている。プレート部材４０は、背凭れ部３０の上端部３０ｔよりも低い位置に、水平面内に位置して設けられている。ここで、プレート部材４０は、その後端部４０ｒが、背凭れ部３０の背面３０ｒを構成する鉛直面３０Ｖおよび傾斜面３０Ｆの上端に沿う平面形状に形成され、背凭れ部３０の背面３０ｒの鉛直上方または背面３０ｒよりも前方に位置するよう形成されている。
【００３３】
図２に示すように、背部フレーム３１の前面板３５の後方には、プレート部材４０を支持する支持面３９Ａが形成されている。支持面３９Ａは、前面板３５の上端部３５ｔよりも低い位置に、鉛直上方を向いて形成されている。プレート部材４０は、このような支持面３９Ａ上に直接載置され、ダボピン４１を介して固定されている。これにより、プレート部材４０は、支持面３９Ａにより鉛直下方から支持され、上面４０ｔが鉛直上方を向いて設けられている。
【００３４】
上述したようなベンチ１０Ａは、利用者が着座可能な座部２０と、座部２０に支持された背凭れ部３０と、背凭れ部３０の上端部３０ｔよりも後方、かつ上端部３０ｔよりも下方で、背凭れ部３０に形成された上向きの支持面３９Ａと、支持面３０Ａによって下方から支持され、利用者の手を支持するための上面４０ｔを有するプレート部材４０と、を備えている。
このように、プレート部材４０の支持面３９Ａを、背凭れ部３０の上端部３０ｔよりも後方、かつ上端部３０ｔよりも下方に設けることで、ベンチ１０Ａに着座した利用者が背凭れ部３０に凭れかかった状態でも、首や頭部、肩等がプレート部材４０に干渉し難い。また、他の利用者がベンチ１０Ａの後方からプレート部材４０に手をついても、着座した利用者の頭部に触れるのを抑えることができる。
さらに、プレート部材４０は、背凭れ部３０に形成された支持面３９Ａによって下方から支持されるので、プレート部材４０に手をついた利用者が体重を掛けても、プレート部材４０の取付強度が不足することもなく、利用者を確実に支持することができる。
このようにして、ベンチ１０Ａによれば、着座した使用者にとっては、着座感が損なわれるのを抑えつつ、プレート部材４０を強固に取り付けることが可能となる。
【００３５】
また、プレート部材４０は、支持面３９Ａ上に直接載置されている。このような構成によれば、プレート部材４０に作用した荷重が支持面３９Ａに伝わるため、プレート部材４０における荷重支持性能が向上する。
【００３６】
また、支持面３９Ａは、背凭れ部３０の上端部３０ｔよりも低い位置に、水平面内に位置して形成され、支持面３９Ａによって支持されたプレート部材４０は、上面４０ｔが鉛直上方を向いて設けられている。
このように、プレート部材４０を、鉛直上方を向く支持面３９Ａによって支持することで、利用者が手をつきやすく、しかも利用者を確実に支持することができる。
【００３７】
また、プレート部材４０の後端部４０ｒは、背凭れ部３０の背面３０ｒの鉛直上方、または背面３０ｒよりも前方に位置するよう形成されている。
これにより、プレート部材４０が背凭れ部３０の背面３０ｒよりも後方に突出するのを抑え、ベンチ１０Ａの後方のスペースが狭まるのを防ぐことができる。
また、プレート部材４０が背凭れ部３０の背面３０ｒよりも後方に突出するのを抑えることで、プレート部材４０に利用者が手をつくことで作用する荷重を、背凭れ部３０に形成された支持面３９Ａで確実に支持することができる。
【００３８】
また、背凭れ部３０の背面３０ｒは、背面３０ｒの幅方向中央部３０ｃに形成された鉛直面３０Ｖと、鉛直面３０Ｖに対し、背面３０ｒの幅方向側方に形成され、鉛直面３０Ｖよりも前方に位置する切欠き面３７と、を備える。
このように、背凭れ部３０の背面３０ｒの幅方向側方に、鉛直面３０Ｖよりも前方に位置する切欠き面３７を設けることで、ベンチ１０Ａの後方を通る際に、利用者の下肢や車椅子等が背凭れ部３０の背面３０ｒに干渉するのを抑えることができる。したがって、ベンチ１０Ａにおいて、アクセス性を高めることができる。
【００３９】
また、切欠き面３７は、鉛直面３０Ｖ側から背面３０ｒの幅方向側方に向かって漸次前方に傾斜して形成されている。
これにより、背凭れ部３０の背面３０ｒは、幅方向側方に行くほど、切欠き面３７が鉛直面３０Ｖよりも前方に位置する。従って、ベンチ１０Ａの後方を利用者が通る際のアクセス性を高めることができる。
【００４０】
また、切欠き面３７は、上方から下方に向かって漸次前方に傾斜して形成されている。
これにより、背凭れ部３０の上部では、前後方向の厚さを確保することができ、座部２０に着座する利用者にとって、背凭れ部３０にもたれ掛かったときの着座感を損なうのを抑えることができる。このように、着座感を確保しつつ、ベンチ１０Ａの後方を他の利用者が通る際のアクセス性を高めることができる。
【００４１】
（第二実施形態）
次に、本発明にかかる椅子の第二実施形態について説明する。なお、以下に説明する第二実施形態においては、上記第一実施形態と共通する構成については図中に同符号を付してその説明を省略する。
図３は、本発明の第二実施形態に係る椅子の構成を示す図であり、椅子を斜め後方から見た斜視図である。図４は、上記椅子の内部構造を示す斜視図である。
図３に示すように、ベンチ１０Ｂは、座部２０と、背凭れ部３０と、を備えている。
【００４２】
背凭れ部３０の上端部３０ｔの後方には、手摺として用いることのできるプレート部材（手摺部材）５０が、背凭れ部３０の幅方向全体にわたって幅方向に連続して設けられている。
プレート部材５０は、下端部５１ｂから上方に向かって漸次前方に傾斜する下部プレート部５１と、下部プレート部５１の上端部５１ａから上方に向かって漸次後方に傾斜する上部プレート部（延長部）５２と、を一体に有している。このようにして、プレート部材５０は、下部プレート部５１と上部プレート部５２とが、その後面側において鈍角θｄをなして曲折している。
【００４３】
プレート部材５０は、下部プレート部５１が、背凭れ部３０の上端部３０ｔよりも低い位置に、後方に向かって斜め下方に延びるように設けられている。上部プレート部５２は、背凭れ部３０の上端部３０ｔから後方に向かって斜め上方に延びるよう設けられている。
【００４４】
また、プレート部材５０の下部プレート部５１は、その後端部５１ｒが、背凭れ部３０の背面３０ｒを構成する鉛直面３０Ｖおよび傾斜面３０Ｆの上端に沿う平面形状に形成され、背凭れ部３０の背面３０ｒの鉛直上方または背面３０ｒよりも前方に位置するよう形成されている。また、プレート部材５０の下部プレート部５１の前端部５１ｆは、背凭れ部３０の上端部３０ｔよりも後方に位置するよう設けられている。
【００４５】
図４に示すように、背部フレーム３１の前面板３５の後方には、プレート部材５０を支持する支持面３９Ｂが形成されている。支持面３９Ａは、背部フレーム３１の上端部３１ｔから後方に向かって斜め下方に延びるよう、傾斜して形成されている。プレート部材５０は、このような支持面３９Ｂ上に直接載置され、ダボピン５３、ボルト５４を介して固定されている。これにより、プレート部材５０は、支持面３９Ｂにより斜め下方から支持され、下部プレート部５１の上面５１ｔが斜め上方を向いて設けられている。
【００４６】
上述したようなベンチ１０Ｂによれば、背凭れ部３０の上端部３０ｔよりも後方、かつ上端部３０ｔよりも下方で、背凭れ部３０に形成された上向きの支持面３９Ｂと、支持面３０Ｂによって下方から支持され、利用者の手を支持するための上面５１ｔを有するプレート部材５０と、を備えている。
このように、プレート部材５０の支持面３９Ｂを、背凭れ部３０の上端部３０ｔよりも後方、かつ上端部３０ｔよりも下方に設けることで、ベンチ１０Ｂに着座した利用者が背凭れ部３０に凭れかかった状態でも、首や頭部、肩等がプレート部材５０に干渉し難い。また、他の利用者がベンチ１０Ｂの後方からプレート部材５０に手をついても、着座した利用者の頭部に触れるのを抑えることができる。
さらに、プレート部材５０の下部プレート部５１は、背凭れ部３０に形成された支持面３９Ｂによって斜め下方から支持されるので、下部プレート部５１に手をついた利用者が体重を掛けても、下部プレート部５１の取付強度が不足することもなく、利用者を確実に支持することができる。
このようにして、ベンチ１０Ｂによれば、着座した使用者にとっては、着座感が損なわれるのを抑えつつ、プレート部材５０を強固に取り付けることが可能となる。
【００４７】
また、プレート部材５０の下部プレート部５１は、支持面３９Ｂ上に直接載置されている。このような構成によれば、プレート部材５０に作用した荷重が支持面３９Ｂに伝わるため、プレート部材５０における荷重支持性能が向上する。
【００４８】
また、支持面３９Ｂは、背凭れ部３０の上端部３０ｔよりも後方において、後方に向かって下方に延び、斜め上方を向く傾斜面とされ、支持面３９Ｂによって支持されたプレート部材５０の下部プレート部５１は、上面５１ｔが斜め上方を向いて設けられている。
これにより、下部プレート部５１を、斜め上方を向く支持面３９Ｂによって支持することで、利用者が手をつきやすく、しかも利用者を確実に支持することができる。
【００４９】
さらに、下部プレート部５１は、背凭れ部３０の上端部３０ｔ側から、後方に向かって斜め上方に延びる上部プレート部５２を一体に有している。
これにより、ベンチ１０Ｂの後方を通る利用者は、斜め上方に延びた上部プレート部５２を掴むこともでき、利便性が高まる。また、ベンチ１０Ｂの後方を通る他の利用者が下部プレート部５１に手をついても、その斜め上方が上部プレート部５２によってカバーされるため、着座した利用者の頭部に触れるのを防ぐことができる。
また、上部プレート部５２は、背凭れ部３０の上端部３０ｔから斜め後方に延びるため、ベンチ１０Ｂに着座した利用者からすると、背凭れ部３０に凭れかかった状態でも、首や頭部がプレート部材５０に干渉し難い。また、ベンチ１０Ｂの後方を通る他の利用者が上部プレート部５２に手をついても、着座した利用者の頭部に触れるのを防ぐことができる。
【００５０】
また、プレート部材５０は、下部プレート部５１と上部プレート部５２とが鈍角θｄをなして交差しているため、上部プレート部５２に利用者が荷重をかけても、下部プレート５１と上部プレート部５２の曲折部分が高い強度を有し、荷重を下方の支持面３９Ｂに確実に伝達することができる。
【００５１】
また、プレート部材５０の下部プレート部５１の後端部５１ｒは、背凭れ部３０の背面３０ｒの鉛直上方、または背面３０ｒよりも前方に位置するよう形成されている。
これにより、下部プレート部５１が背凭れ部３０の背面３０ｒよりも後方に突出するのを抑え、ベンチ１０Ｂの後方のスペースが狭まるのを防ぐことができる。
また、下部プレート部５１が背凭れ部３０の背面３０ｒよりも後方に突出するのを抑えることで、下部プレート部５１に利用者が手をつくことで作用する荷重を、背凭れ部３０に形成された支持面３９Ｂで確実に支持することができる。
【００５２】
また、背面３０ｒは、背面３０ｒの幅方向中央部３０ｃに形成された鉛直面３０Ｖと、鉛直面３０Ｖに対し、背面３０ｒの幅方向側縁３０ｅに至る領域に形成され、鉛直面３０Ｖよりも前方に位置する切欠き面３７と、を備える。このように、背凭れ部３０の背面３０ｒの幅方向側縁３０ｅに至る領域に、鉛直面３０Ｖよりも前方に位置する切欠き面３７を設けることで、ベンチ１０Ｂの後方を通る際に、利用者の下肢や車椅子等が背凭れ部３０の背面３０ｒに干渉するのを抑えることができる。
【００５３】
また、切欠き面３７は、鉛直面３０Ｖ側から背面３０ｒの幅方向側方に向かって漸次前方に傾斜して形成されている。これにより、背凭れ部３０の背面３０ｒは、幅方向側方に行くほど、切欠き面３７が鉛直面３０Ｖよりも前方に位置する。従って、ベンチ１０Ｂの後方を利用者が通る際のアクセス性を高めることができる。
【００５４】
（その他の実施形態）
上記第一、第二実施形態では、プレート部材４０，５０を、支持面３９Ａ，３９Ｂ上に直接載置して設けるようにしたが、これに限らない。
例えば、図５に示すように、手摺部材６０を、一端６０ａを背凭れ部３０の支持面３９Ａに突き当て、他端６０ｂを背凭れ部３０の上端部３０ｔよりも後方かつ下方で支持面３９Ａよりも上方の位置に突き当てて設ける。これにより、手摺部材６０の下面６０ｃと、その下方の支持面３９Ａとの間には、空間Ｓが形成される。
また、手摺部材６０の上面６０ｔは、後方に向かって下方に傾斜して形成されている。
【００５５】
このような構成によれば、手摺部材６０に作用した荷重が背凭れ部３０に伝わりにくくなる。例えば、ベンチ１０の後方に位置する利用者がバランスを崩す等して手摺部材６０に不意に大きな荷重をかけてしまった場合であっても、ベンチ１０に着座した利用者には、荷重がかかったことが背凭れ部３０を介して伝わりにくい。
【００５６】
さらに、図６に示すように、手摺部材６０の一端６０ａと他端６０ｂとの間に、空間Ｓに連通する開口部６１を備えるようにしてもよい。
これにより、開口部６１に、利用者が指等を掛けることができ、手摺部材６０を確実に保持することができる。
【００５７】
また、例えば、図７に示すように、手摺部材７０を、一端７０ａを背凭れ部３０の支持面３９Ｂの下部に突き当て、他端７０ｂを支持面３９Ｂの上部に突き当てて設ける。これにより、手摺部材７０の下面７０ｃと、その下方の支持面３９Ａとの間には、空間Ｓが形成される。
また、手摺部材７０の上面７０ｔは、鉛直上方に向いて形成されている。
【００５８】
このような構成によれば、手摺部材７０に作用した荷重が背凭れ部３０に伝わりにくくなる。例えば、ベンチ１０の後方に位置する利用者がバランスを崩す等して手摺部材７０に不意に大きな荷重をかけてしまった場合であっても、ベンチ１０に着座した利用者には、荷重がかかったことが背凭れ部３０を介して伝わりにくい。
【００５９】
さらに、図８に示すように、手摺部材７０の一端７０ａと他端７０ｂとの間に、空間Ｓに連通する開口部７１を備えるようにしてもよい。
これにより、開口部７１に、利用者が指等を掛けることができ、手摺部材７０を確実に保持することができる。
【００６０】
（その他の実施形態）
なお、本発明の椅子は、図面を参照して説明した上述の実施形態に限定されるものではなく、その技術的範囲において様々な変形例が考えられる。
例えば、ベンチ１０の全体的な形状や構造は、上記実施形態で例示したものに限らない。例えば、上記実施形態では、背凭れ部３０が、座部２０の後端部に支持されて設けられているが、これに限らず、背凭れ部３０は、座部２０の後端部に、脚部材２７等の脚に支持されて設けられていてもよい。
さらに、背凭れ部３０は、座部２０の後端部に限らず、座部２０の後部又は座部２０の後方に設けられているのであればよく、その位置や取付構造について、何ら限定するものではない。
【００６１】
また、上記第２実施形態において、プレート部材５０が下部プレート部５１と上部プレート部５２とを備えるようにしたが、上部プレート部５２を省略し、下部プレート部５１のみを備えるようにしてもよい。
【００６２】
さらに、上記第１、第２実施形態では、プレート部材４０、５０をプレート状に形成したが、これに代えて、棒状の手摺部材とすることも可能である。
これ以外にも、本発明の主旨を逸脱しない限り、上記実施の形態で挙げた構成を取捨選択したり、他の構成に適宜変更したりすることが可能である。
【符号の説明】
【００６３】
１０Ａ，１０Ｂ  ベンチ（椅子）
２０  座部
３０  背凭れ部
３０Ｖ  鉛直面（第一面）
３０ｃ  中央部
３０ｅ  幅方向測縁
３０ｒ  背面
３０ｔ  上端部
３７  切欠き面（第二面）
３９Ａ、３９Ｂ  支持面
４０  プレート部材（手摺部材）
４０ｒ  後端部
４０ｔ  上面
５０  プレート部材（手摺部材）
５１  下部プレート部
５１ｒ  後端部
５１ｔ  上面
５２  上部プレート部（延長部）
６０，７０  手摺部材
６０ｔ，７０ｔ  上面
６１，７１  開口部
Ｓ  空間
【図１】
0006675190.tif 000002
【図２】
0006675190.tif 000003
【図３】
0006675190.tif 000004
【図４】
0006675190.tif 000005
【図５】
0006675190.tif 000006
【図６】
0006675190.tif 000007
【図７】
0006675190.tif 000008
【図８】
0006675190.tif 000009